(57)【要約】  ユーザ装置との間に制御プレーンのリンクを設定する第１の基地局と、当該ユーザ装置との間にユーザプレーンのリンクを設定する第２の基地局とを有する移動通信システムにおける当該ユーザ装置において、無線リンクの監視を行う無線リンク監視手段と、前記無線リンク監視手段により前記制御プレーンのリンクの切断が検知された場合に、前記ユーザプレーンのリンクを維持したまま、前記ユーザ装置に対する制御プレーンのリンクの再確立を行う接続制御手段とを備える。
2017026263.tif 000002
【特許請求の範囲】
【請求項１】
ユーザ装置との間に制御プレーンのリンクを設定する第１の基地局と、当該ユーザ装置との間にユーザプレーンのリンクを設定する第２の基地局とを有する移動通信システムにおける当該ユーザ装置であって、
無線リンクの監視を行う無線リンク監視手段と、
前記無線リンク監視手段により前記制御プレーンのリンクの切断が検知された場合に、前記ユーザプレーンのリンクを維持したまま、前記ユーザ装置に対する制御プレーンのリンクの再確立を行う接続制御手段と
を備えることを特徴とするユーザ装置。
【請求項２】
前記無線リンク監視手段により前記制御プレーンのリンクの切断が検知された場合に、前記接続制御手段は、セルサーチを行うことによりベストセルを検出し、当該ベストセルで前記制御プレーンのリンクの再確立を行う
ことを特徴とする請求項１に記載のユーザ装置。
【請求項３】
前記接続制御手段は、前記ベストセルとして、システム情報で特定の情報が報知されるセルを選択する
ことを特徴とする請求項２に記載のユーザ装置。
【請求項４】
前記接続制御手段は、前記ベストセルでランダムアクセス手順を実行することにより、再接続要求を当該ベストセルの基地局に送信し、当該基地局から再接続指示を受信することで、当該基地局と前記ユーザ装置との間に前記制御プレーンのリンクを確立する
ことを特徴とする請求項２又は３に記載のユーザ装置。
【請求項５】
前記再接続要求のメッセージには、前記ユーザプレーンのリンクが設定されているセルのコンフィギュレーションが維持されていることを示す情報が含まれる
ことを特徴とする請求項４に記載のユーザ装置。
【請求項６】
前記接続制御手段は、前記再接続指示の中に特定の情報が含まれていないことを検知した場合に、前記ユーザプレーンのリンクでのデータ送受信を停止する
ことを特徴とする請求項４又は５に記載のユーザ装置。
【請求項７】
前記接続制御手段は、前記制御プレーンのリンクの再確立に失敗した場合において、前記ユーザプレーンのリンクを切断して、前記制御プレーンのリンクの再確立のための手順を実行する
ことを特徴とする請求項１ないし６のうちいずれか１項に記載のユーザ装置。
【請求項８】
前記接続制御手段は、前記制御プレーンのリンクの再確立に失敗した場合において、前記第２の基地局に対して前記制御プレーンのリンクの再確立のための手順を実行する
ことを特徴とする請求項１ないし７のうちいずれか１項に記載のユーザ装置。
【請求項９】
ユーザ装置との間に制御プレーンのリンクを設定する第１の基地局と、当該ユーザ装置との間にユーザプレーンのリンクを設定する第２の基地局とを有する移動通信システムにおける当該ユーザ装置が実行する接続制御方法であって、
無線リンクの監視を行い、
前記無線リンクの監視により前記制御プレーンのリンクの切断が検知された場合に、前記ユーザプレーンのリンクを維持したまま、前記ユーザ装置に対する制御プレーンのリンクの再確立を行う
ことを特徴とする接続制御方法。
【発明の詳細な説明】
【技術分野】
【０００１】
本発明は、ユーザ装置が無線リンクの監視を行う移動通信システムに関連するものである。
【背景技術】
【０００２】
ＬＴＥではユーザ装置ＵＥとネットワーク間の接続性を維持するために、ユーザ装置ＵＥが無線リンク（ＵＥ−ｅＮＢ間のリンク）の監視を行っている（非特許文献１、非特許文献２）。【０００３】
ユーザ装置ＵＥは、無線リンクに異常（ＲＬＦ：Ｒａｄｉｏ  Ｌｉｎｋ  Ｆａｉｌｕｒｅ）を検出する場合に、再接続手順（ｃｏｎｎｅｃｔｉｏｎ  ｒｅ−ｅｓｔａｂｌｉｓｈｍｅｎｔ  ｐｒｏｃｅｄｕｒｅ）を起動し、ベストセルへ接続しなおす（非特許文献２）。ここでの"異常"とは、例えば、ＰＣｅｌｌのＤＬ品質劣化、ＰＣｅｌｌにおけるＲＡ  ｐｒｏｂｌｅｍ、ＵＬ  ＲＬＣ最大再送超過等である。【０００４】
再接続手順を実施する際には、ユーザ装置ＵＥは一旦全ての個別設定情報（一部を除く）を開放して所定のｃｏｎｆｉｇｕｒａｔｉｏｎを用いる。その後、ユーザ装置ＵＥは新しいｃｏｎｆｉｇｕｒａｔｉｏｎを基地局ｅＮＢから受信する。このため、再接続が発生するとＵ−ｐｌａｎｅ送受信は一時的に停止される。【０００５】
再接続手順の例を図１に示す。図１（ａ）に示すように、サービングセル（ＰＣｅｌｌ）であるセル１に在圏しているユーザ装置ＵＥが、セル１から離れ、セル２のエリアに入ると、図１（ｂ）に示すように、ユーザ装置ＵＥはセル１のＤＬ品質劣化を検出する。【０００６】
図１（ｃ）に示すように、ユーザ装置ＵＥは、セルサーチを行った結果、ベストセルとして検出されたセル２に再接続を行う。ここでは、ｃｏｎｆｉｇｕｒａｔｉｏｎを一旦開放し、Ｕ−ｐｌａｎｅの送受信は停止される。そして、図１（ｄ）に示すように、セル２で改めてｃｏｎｆｉｇｕｒａｔｉｏｎを受信し、セル２において通信を行う。
【先行技術文献】
【非特許文献】
【０００７】
【非特許文献１】3GPP TS 36.300 V13.0.0 (2015-06)
【非特許文献２】3GPP TS 36.331 V12.6.0 (2015-06)
【非特許文献３】3GPP TS 36.323 V12.4.0 (2015-06)
【発明の概要】
【発明が解決しようとする課題】
【０００８】
ＬＴＥにおける無線プロトコルアーキテクチャは、ユーザデータを扱うＵ−ｐｌａｎｅ（ｕｓｅｒ  ｐｌａｎｅ：ユーザプレーン）と、ユーザ通信に関する制御信号を扱うＣ−ｐｌａｎｅ（ｃｏｎｔｒｏｌ  ｐｌａｎｅ：制御プレーン）に分けられる（非特許文献１）。【０００９】
ＬＴＥでは、１つの基地局ｅＮＢでＵ−ｐｌａｎｅの信号とＣ−ｐｌａｎｅの信号の両方を送受信することが可能であるが、近年、図２に示すように、広範囲をカバーするマクロセルでＣ−ｐｌａｎｅを担い、高周波数・高速度のスモールセルでＵ−ｐｌａｎｅを担うＣ／Ｕ分離のネットワーク構成が提案されている。この構成では、多数のスモールセルを設置した場合でも、スモールセル間のハンドオーバによるＣ−ｐｌａｎｅの切断・接続を行わなくてよいので、スループットを維持できる。【００１０】
図２に示すように、Ｃ／Ｕ分離の構成は、Ｒｅｌ−１２で導入されたＤｕａｌ  ｃｏｎｎｅｃｔｉｖｉｔｙ（以降、ＤＣと呼ぶ）を用いることで実現できる。ＤＣにおけるＭｅＮＢがマクロセル（ＭＣＧにおけるＰＣｅｌｌ）を形成し、ＳｅＮＢがスモールセル（ＳＣＧにおけるＳＣｅｌｌ）を形成する。【００１１】
また、Ｃ／Ｕ分離の構成は、Ｒｅｌ−１０で導入されたキャリアアグリゲーション（以下、ＣＡと呼ぶ）を用いて実現することもできる。その場合、図２で括弧内に示すように、ｅＮＢがマクロセル（ＰＣｅｌｌ）を形成し、ｅＮＢから光ファイバ等で接続される張り出し無線装置（ＲＲＨ）がスモールセル（ＳＣｅｌｌ）を形成する。【００１２】
上記のような構成において、従来のＣＡ及びＤＣにおける規定では、ユーザ装置ＵＥは、Ｃ−ｐｌａｎｅを担っているマクロセルでの通信に異常を検出する場合には、スモールセルとの接続も含めて一度通信を停止し、再度接続を確立する制御を行うことになる。【００１３】
例えば、図２の構成に対応する図３に示すように、Ｃ−ｐｌａｎｅ（ＣＰ）のリンクが確立し（ステップＳ１）、Ｕ−ｐｌａｎｅ（ＵＰ）のリンクが確立している（ステップＳ２）状態で、ユーザ装置ＵＥがＣ−ｐｌａｎｅのリンクに異常を検出する（ステップＳ３）と、Ｕ−ｐｌａｎｅのリンクが正常であっても、ＭｅＮＢとＳｅＮＢの両方の接続を切断し、再接続を確立する手順を開始する（ステップＳ４）。【００１４】
ＬＴＥ−Ａｄｖａｎｃｅｄの次の世代の移動通信システムである５Ｇにおいては、超低遅延通信を実現することが要求されており、Ｃ−ｐｌａｎｅリンクの切断により、問題のないＵ−ｐｌａｎｅリンクまで接続しなおしていると低遅延通信を実現することができないという問題がある。【００１５】
本発明は上記の点に鑑みてなされたものであり、ユーザ装置との間に制御プレーンのリンクを設定する第１の基地局と、当該ユーザ装置との間にユーザプレーンのリンクを設定する第２の基地局とを有する移動通信システムにおいて、低遅延通信を実現することを可能とする技術を提供することを目的とする。
【課題を解決するための手段】
【００１６】
本発明の実施の形態によれば、ユーザ装置との間に制御プレーンのリンクを設定する第１の基地局と、当該ユーザ装置との間にユーザプレーンのリンクを設定する第２の基地局とを有する移動通信システムにおける当該ユーザ装置であって、
無線リンクの監視を行う無線リンク監視手段と、
前記無線リンク監視手段により前記制御プレーンのリンクの切断が検知された場合に、前記ユーザプレーンのリンクを維持したまま、前記ユーザ装置に対する制御プレーンのリンクの再確立を行う接続制御手段と
を備えることを特徴とするユーザ装置が提供される。【００１７】
また、本発明の実施の形態によれば、ユーザ装置との間に制御プレーンのリンクを設定する第１の基地局と、当該ユーザ装置との間にユーザプレーンのリンクを設定する第２の基地局とを有する移動通信システムにおける当該ユーザ装置が実行する接続制御方法であって、
無線リンクの監視を行い、
前記無線リンクの監視により前記制御プレーンのリンクの切断が検知された場合に、前記ユーザプレーンのリンクを維持したまま、前記ユーザ装置に対する制御プレーンのリンクの再確立を行う
ことを特徴とする接続制御方法が提供される。
【発明の効果】
【００１８】
本発明の実施の形態によれば、ユーザ装置との間に制御プレーンのリンクを設定する第１の基地局と、当該ユーザ装置との間にユーザプレーンのリンクを設定する第２の基地局とを有する移動通信システムにおいて、低遅延通信を実現することを可能とする技術が提供される。
【図面の簡単な説明】
【００１９】
【図１】無線リンク監視に関する従来技術を説明するための図である。
【図２】Ｃ−ｐｌａｎｅとＵ−ｐｌａｎｅが分離された通信システムの構成例を示す図である。
【図３】従来技術の課題を説明するための図である。
【図４】本発明の実施の形態に係る通信システムの構成例を示す図である。
【図５】ＤＣにおけるユーザ装置ＵＥの無線プロトコル構成を示す図である。
【図６】本発明の実施の形態に係る通信システムの構成例を示す図である。
【図７】Ｃ−ｐｌａｎｅリンクが切断された後の全体の動作例を説明するための図である。
【図８】Ｓｉｄｅｌｉｎｋ（Ｄ２Ｄ）の構成例を示す図である。
【図９】Ｃ−ｐｌａｎｅリンクを再確立するための手順を示す図である。
【図１０】Ｃ−ｐｌａｎｅリンクを確立できなかった場合の動作例を説明するための図である。
【図１１】Ｃ−ｐｌａｎｅリンクを確立できなかった場合の動作例を説明するための図である。
【図１２】ユーザ装置ＵＥの構成図である。
【図１３】基地局ｅＮＢの構成図である。
【図１４】基地局ｅＮＢ及びユーザ装置ＵＥのハードウェア構成の一例を示す図である。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥ（Ｒｅｌ−８〜Ｒｅｌ．１３、及びそれ以降）、及び５Ｇに対応していることを想定しているが、本発明はこれらの方式に限らず、Ｕ−ｐｌａｎｅに相当する機能とＣ−ｐｌａｎｅに相当する機能を含む無線プロトコルアーキテクチャを採用した他の方式の通信システムにも適用可能である。
【００２１】
また、本実施の形態において、Ｃ−ｐｌａｎｅのリンクとは、ＵＥとｅＮＢ間のＳＲＢ（ｓｉｇｎａｌｉｎｇ  ｒａｄｉｏ  ｂｅａｒｅｒ）のリンクであり、Ｕ−ｐｌａｎｅのリンクとは、ＵＥとｅＮＢ間のＤＲＢ（ｄａｔａ  ｒａｄｉｏ  ｂｅａｒｅｒ）のリンクである。或いは、Ｃ−ｐｌａｎｅのリンクとは、特定のセル（Ｃｏｍｐｏｎｅｎｔ  Ｃａｒｒｉｅｒ、周波数バンド）におけるリンクであり、Ｕ−ｐｌａｎｅのリンクとは、特定のセル以外のセルのリンクであってもよい。ただし、これに限られるわけではない。
【００２２】
また、本実施の形態におけるＣＡ（キャリアアグリゲーション）は、Ｉｎｔｒａ−ｅＮＢ  ＣＡのみならず、ＤＣ（Ｄｕａｌ  ｃｏｎｎｅｃｔｉｖｉｔｙ）のようなＩｎｔｅｒ−ｅＮＢ  ＣＡも含む。これらを区別する場合、Ｉｎｔｒａ−ｅＮＢ  ＣＡについては基地局内ＣＡを呼び、Ｉｎｔｅｒ−ｅＮＢ  ＣＡについてはＤＣ又は基地局間ＣＡと呼ぶ。
【００２３】
（システム構成）
本実施の形態におけるシステムの全体構成は、Ｕ−ｐｌａｎｅとＣ−ｐｌａｎｅをスモールセルとマクロセルで分離した図２に示した構成である。
【００２４】
前述したように、当該システムでは、基地局内ＣＡとＤＣのいずれも用いることができるので、ＣＡ、ＤＣの概要についてまず説明する。
【００２５】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。また、ＰＣｅｌｌにはＵＬ  ＣＣ（コンポーネントキャリア）とＤＬ  ＣＣが設定されている。ＳＣｅｌｌには、ＤＬ  ＣＣは必ず設定されるが、ＵＬ  ＣＣはオプショナルで設定される。
【００２６】
ＤＣを行う際には、ユーザ装置ＵＥは、２つの物理的に異なる基地局ｅＮＢの無線リソースを同時に使用して通信を行う。ＤＣはＣＡの一種であり、Ｍａｓｔｅｒ−ｅＮＢ（ＭｅＮＢ）と、Ｓｅｃｏｎｄａｒｙ−ｅＮＢ（ＳｅＮＢ）が導入される。ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣ（コンポーネントキャリア）が設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【００２７】
図４に、ＤＣを用いて図２の構成を実現する場合のシステム構成例を示す。図４に示すように、基地局ＭｅＮＢ、基地局ＳｅＮＢが備えられ、ユーザ装置ＵＥがこれらの基地局と通信を行う。以下、基地局ＭｅＮＢ、基地局ＳｅＮＢは、それぞれＭｅＮＢ、ＳｅＮＢと記述する。また、ユーザ装置ＵＥはＵＥと記述する。
【００２８】
図４において、コアネットワーク側の装置として、モビリティ制御等を実行するＭＭＥと、データの中継を行うＳ−ＧＷが示される。ＵＥに関して、各装置が図示のインターフェースで接続される。特に、本実施の形態では、Ｃ／Ｕ分離を行うことから、当該ＵＥに関して、Ｓ１−ＭＭＥインターフェースはＭｅＮＢのみに接続され、ＲＲＣ接続はＭｅＮＢとＵＥ間でのみ設定される。
【００２９】
図５は、図４のようなＤＣを行う場合における無線プロトコル構成例を示す図である。図５は、ＭｅＮＢがベアラを受信し、ベアラのデータを分割し、ＭｅＮＢとＳｅＮＢから当該ベアラのデータをＵＥに送信するスプリットベアラを行う場合の例を示している。図５に示すように、ＵＥ側では、ＭｅＮＢ側とＳｅＮＢ側のそれぞれについて、ＰＨＹ、ＭＡＣ、ＲＬＣ、ＰＤＣＰのエンティティが備えられる。
【００３０】
図６は、本実施の形態において、基地局内ＣＡを用いて図２の構成を実現する場合のシステム構成を示す図である。図６に示すように、当該システムは、基地局ｅＮＢ（以下、ｅＮＢ）とＵＥとを含む移動通信システムである。図６の構成において、ｅＮＢ自身が無線部を有するとともに、ｅＮＢから離れた場所に張り出し無線装置（ＲＲＨ）が設置される。図６においてｅＮＢがＰＣｅｌｌを形成してＣ−ｐｌａｎｅを担う。ＲＲＨがＳＣｅｌｌを形成し、Ｕ−ｐｌａｎｅを担う。ＲＲＨはｅＮＢの一部であるため、図６の構成におけるＣＡは基地局内ＣＡである。ただし、ＲＲＨはＵＥとの無線通信を行う点で、「基地局」と称することもできる。
【００３１】
すなわち、図４と図６のいずれの場合も、当該システムは、ユーザ装置との間に制御プレーンのリンクを設定する第１の基地局と、当該ユーザ装置との間にユーザプレーンのリンクを設定する第２の基地局とを有する移動通信システムの例である。
【００３２】
なお、以下では、基地局内ＣＡにおいて、ＰＣｅｌｌ（Ｃ−ｐｌａｎｅ）を形成する主体をｅＮＢと記述し、ＳＣｅｌｌ（Ｕ−ｐｌａｎｅ）を形成する主体をｅＮＢ・ＲＲＨと記述する。
【００３３】
また、Ｃ−ｐｌａｎｅを担うＰＣｅｌｌ／ＭＣＧに関し、Ｃ−ｐｌａｎｅのリンクのみでなく、Ｕ−ｐｌａｎｅのリンクが設定されていてもよい。例えば、ＵＬ送信に使用するＤＲＢがＰＣｅｌｌ／ＭＣＧに設定されていてもよい。
【００３４】
（システムの動作概要）
本実施の形態では、基地局内ＣＡ／ＤＣにおいて、ＵＥとｅＮＢ／ＭｅＮＢとの間のＣ−ｐｌａｎｅのリンクが切断されたとしても、従来のようにＵ−ｐｌａｎｅのリンクも切断することなく、Ｕ−ｐｌａｎｅ通信を継続することとしている。
【００３５】
図７を参照して本実施の形態における基本的な処理の流れを説明する。図７は、ＤＣの構成を前提とするが、基地局内ＣＡでも同様の動作が可能である。図７では、基地局内ＣＡの構成に対応させて括弧内にｅＮＢ、及びｅＮＢ・ＲＲＨを示している。
【００３６】
ステップＳ１において、ＵＥとＭｅＮＢ／ｅＮＢ間のＣ−ｐｌａｎｅのリンクが確立され、ステップＳ２において、ＵＥとＳｅＮＢ／ｅＮＢ・ＲＲＨ間のＵ−ｐｌａｎｅのリンクが確立される。
【００３７】
ステップＳ３において、ＵＥは、Ｃ−ｐｌａｎｅのリンクの切断を検知する。この「切断を検知する」とは、例えば、ＵＥが、Ｃ−ｐｌａｎｅのリンクが設定されているＰＣｅｌｌにおけるＲＬＦを検知することである。ＲＬＦは、例えば、下りの同期外れ（ｏｕｔ  ｏｆ  ｓｙｎｃ）が所定時間継続した場合に検知される。また、特にＤＣに場合において、ＭＣＧ  ＲＬＣ（ＭｅＮＢ側のＲＬＣエンティティ）で再送回数が所定の最大値に達したことが検知された場合にもＲＬＦが検知される。
【００３８】
本実施の形態では、Ｃ−ｐｌａｎｅのリンクの切断が検知された場合でも、従来のようにＵ−ｐｌａｎｅのリンクを切断することはせず、Ｕ−ｐｌａｎｅの通信は継続させる。すなわち、ＵＥはＳｅＮＢ／ｅＮＢ・ＲＲＨとのリンクを切断せずにＵ−ｐｌａｎｅの通信を継続する。
【００３９】
Ｕ−ｐｌａｎｅでの通信は基本的に、一旦Ｃ−ｐｌａｎｅを用いて設定されたパラメータ等の設定情報を使用して実施することができるので、Ｃ−ｐｌａｎｅの通信を行わなくても継続することが可能である。ただし、モビリティ制御等のためにはＣ−ｐｌａｎｅの接続が必要であるので、本実施の形態では、Ｕ−ｐｌａｎｅの通信を継続させたまま、Ｃ−ｐｌａｎｅのリンクの再確立を行う。
【００４０】
図７の例では、セルサーチを行った結果、元のＭｅＮＢ／ｅＮＢが選択され、再接続要求（ステップＳ４）を行う例を示している。ステップＳ５では、Ｃ−ｐｌａｎｅのリンクの再確立手順が実行され、ステップＳ６においてＣ−ｐｌａｎｅのリンクが確立される。
【００４１】
本実施の形態に係る制御については、ＵＬ  ＣＣを設定されているＳＣｅｌｌ（ＳｅＮＢ／ｅＮＢ・ＲＲＨ側のＳＣｅｌｌ）が少なくとも１つ設定されている場合にのみ実施することとしてもよい。また、ＳＣｅｌｌ（ＳｅＮＢ／ｅＮＢ・ＲＲＨ側のＳＣｅｌｌ）にＰＵＣＣＨが設定されている場合に限定して本実施の形態に係る制御を行うこととしてもよい。
【００４２】
以下、Ｃ−ｐｌａｎｅのリンクの切断が検知された場合における最初の動作（動作例１）、Ｃ−ｐｌａｎｅのリンクを再確立するための動作（動作例２）、動作例２でＣ−ｐｌａｎｅのリンクを確立できなかった場合の動作（動作例３）のそれぞれについてより具体的に説明する。
【００４３】
（動作例１：Ｃ−ｐｌａｎｅのリンクの切断が検知された場合における最初の動作）
本実施の形態におけるＵＥは、Ｃ−ｐｌａｎｅのリンクの切断を検知しても、従来技術のようにＵ−ｐｌａｎｅの通信を停止することはせずに、以下のような動作を実行する。
【００４４】
まず、Ｃ−ｐｌａｎｅのリンクにおけるＵＬ送信については、基本的に全て停止し、必要な設定情報以外を全て開放する。具体的には以下のとおりである。
【００４５】
＜ＵＬ：基地局内ＣＡの場合＞
ＵＥは、Ｃ−ｐｌａｎｅを担うＰＣｅｌｌにおけるＵＬ送信を全て停止する。より詳細な動作として、ＵＥは、ＵＬ送信のために実行していた進行中のＲＡ手順を一旦停止し、ｄｅｄｉｃａｔｅｄ  ｐｒｅａｍｂｌｅ等のリソースを一旦全て開放する。また、ｐＴＡＧのＴＡタイマを停止する、もしくは、満了したと見なす。
【００４６】
なお、ＵＥに設定されているＣＣを伝搬遅延のほぼ同等となるものどうしでグルーピングし、グルーピングしたＣＣ群をＴＡＧ（Ｔｉｍｉｎｇ  Ａｄｖａｎｃｅ  Ｇｒｏｕｐ）と呼び、ＴＡＧ毎に上り送信タイミング調整制御が行われる。特にＰＣｅｌｌが含まれるＴＡＧはｐＴＡＧと呼ばれる。また、ＵＥは、ＴＡコマンドを受信したときにＴＡタイマを開始し、その後、ＴＡコマンドを受信せずにＴＡタイマが満了すると、ＵＬ同期外れと判断し、ＵＬ送信を停止する。上記のように、ｐＴＡＧのＴＡタイマを停止する、もしくは、満了したと見なすことでＵＬ送信が停止する。
【００４７】
＜ＵＬ：ＤＣの場合＞
ＵＥは、ＭＣＧにおけるＵＬ送信を全て停止する。つまり、ＭｅＮＢに対するＵＬ送信を全て停止する。
【００４８】
より詳細な動作として、例えば、ＵＥは、ＭｅＮＢに対するＵＬ送信電力として最低限保証されている値（Ｍａｘｉｍｕｍ  Ｇｕｒａｎｔｅｅｄ  Ｐｏｗｅｒ）を示すｐ−ＭｅＮＢ（非特許文献２）を０と見なす。これにより、ＭｅＮＢに対するＵＬ送信ができなくなり、ＵＬ送信は停止される。
【００４９】
また、ＵＥは、ＭＣＧ−ＭＡＣエンティティ（ＭＡＣ機能部）をリセットする。また、ＭＣＧにおけるＳＣｅｌｌが設定されている場合、ＭＣＧにおけるＳＣｅｌｌを全て開放（ｒｅｌｅａｓｅ）する。もしくは、当該ＳＣｅｌｌをＤｅａｃｔｉｖａｔｅしてもよい。なお、ＭＣＧのＳＣｅｌｌに対する制御に関して、ＵＬ  ＣＣが設定されているＳＣｅｌｌに関しては、ＤＬ  ＣＣはそのままで、ＵＬ  ＣＣのみ開放して、ＵＬ送信を抑制してもよい。
【００５０】
また、ＵＥとＭｅＮＢ間で設定されるＭＣＧベアラについては、ＵＬ送信をｓｕｓｐｅｎｄ（中断）する。より詳細には、ＭＣＧベアラのうちのＳＲＢについてはｓｕｓｐｅｎｄし、ＤＲＢについてはＵＥが自律でＳＣＧベアラとして再設定（ｒｅｃｏｎｆｉｇｕｒａｔｉｏｎ）してもよい。つまり、ＵＥは、ＵＥとＭｅＮＢと間に設定されている当該ＤＲＢをＵＥとＳｅＮＢと間に再設定する処理を実行する。本処理は、ベアラの再設定処理として実施されてもよいし、ベアラの削除、追加を伴う処理として実施されてもよい。
【００５１】
また、ＤＲＢのスプリットベアラについては、ＵＥは、ＰＤＣＰ  ｄａｔａ  ｒｅｃｏｖｅｒｙ（非特許文献３）を実施してもよい。このとき、ＵＥは、ＰＤＣＰ／ＲＬＣをｒｅ−ｅｓｔａｂｌｉｓｈｍｅｎｔし、ＳｅＮＢに対してＰＤＣＰレイヤからパケットの再送をトリガしてもよい。
【００５２】
また、ＵＥは、ｐＴＡＧ、ＭＣＧ−ｓＴＡＧの全てのＴＡタイマを停止する、もしくは、満了したと見なすこととしてもよい。
【００５３】
＜ＤＬ：基地局内ＣＡの場合＞
ＤＬにおいて、基地局内ＣＡの場合、ＵＥは、ＰＣｅｌｌにおけるＰＤＣＣＨ監視を停止する。
【００５４】
＜ＤＬ：ＤＣの場合＞
また、ＤＣの場合について、ＵＥは、ＰＣｅｌｌ及び、ＭＣＧ−ＳＣｅｌｌにおけるＰＤＣＣＨ監視を停止する。
【００５５】
＜Ｓｉｄｅｌｉｎｋ（Ｄ２Ｄ）について＞
ＵＥ間でＤ２Ｄ通信を行うＳｉｄｅｌｉｎｋに関しては、例えば図８に示すように、Ｄ２Ｄ通信を行っているＵＥのうちの少なくとも一方においてｅＮＢ（又はＭｅＮＢ）との間のＣ−ｐｌａｎｅのリンクが切断した場合、例えば、当該リンクの切断を検知したＵＥが、他方のＵＥとの間のＤ２Ｄ通信の接続を一旦切断する。
【００５６】
ここで、Ｓｉｄｅｌｉｎｋのデータ送受信を実施するためのリソースとしては、報知情報（システム情報）から得られるリソースプールから取得するものと、個別にｅＮＢからシグナリングで設定されるものがある。そこで、Ｃ−ｐｌａｎｅの切断を検知したＵＥが、報知情報（システム情報）から得られたリソースプール内のリソースを選択してＤ２Ｄ通信を行っている場合、Ｄ２Ｄ通信をそのまま継続することとしてもよい。
【００５７】
また、ＵＥが個別にシグナリングされたリソースを使用している場合、Ｃ−ｐｌａｎｅの切断を検知したら、一旦Ｄ２Ｄ通信を停止し、当該リソースを破棄し、報知情報（システム情報）から得られるリソースプールから取得するリソースを使用してＤ２Ｄ通信を再開してもよい。
【００５８】
（動作例２：Ｃ−ｐｌａｎｅのリンクを再確立するための動作）
次に、ＵＥが、基地局との間のＣ−ｐｌａｎｅのリンクを再確立するための動作例について、図９のフローチャートを参照して説明する。
【００５９】
既に説明したように、本実施の形態では、ＵＥは、Ｕ−ｐｌａｎｅのリンク（ＤＲＢ／ＤＴＣＨ）を維持したまま、Ｃ−ｐｌａｎｅのリンク（ＳＲＢ／ＤＣＣＨ）を再確立する。
【００６０】
図９のステップＳ１０１において、ＵＥは、Ｃ−ｐｌａｎｅのリンクの切断を検出すると、セルサーチを開始し、その時点でのベストセル（最も受信電力の大きいセル、最も受信品質の良いセル等）を探索する（ステップＳ１０２）。
【００６１】
図９に示す例では、ＵＥはセルサーチを諦めるためのタイマを有しており、ＵＥはセルサーチを開始してからタイマを起動し、ベストセルを検出できずにタイマが満了した場合（所定期間探しても検出できない場合）には、サーチを停止する（ステップＳ１０３のＮｏ、ステップＳ１０４のＹｅｓ）。
【００６２】
本セルサーチにおいて、検出を試みるキャリアもしくはセルについては、サーチする優先度が事前にｅＮＢ／ＭｅＮＢから通知されてもよい。また、再度接続するセル（ベストセルとして決定するセル）については、当該セルの報知情報（システム情報）にて特定のＩＥ（情報要素）が含まれているセルに限定されてもよい。
【００６３】
当該ＩＥには、当該セルを形成するｅＮＢが、本実施の形態の機能（Ｃ−ｐｌａｎｅが切断されてもＵ−ｐｌａｎｅを継続してＣ−ｐｌａｎｅの再確立をする機能）に対応しているか否かを示す情報が格納されている。そして、当該情報が、当該機能に対応していることを示す場合に、ＵＥは、当該セルをベストセルとして決定することができる。
【００６４】
また、当該ＩＥには、当該機能に対応したＵＥが当該セルに接続してよいか否かを示す情報が格納されていることとしてもよい。そして、当該情報が、当該機能に対応していることを示す場合に、ＵＥは、当該セルをベストセルとして決定することができる。
【００６５】
また、当該ＩＥには、再接続時にＳＣｅｌｌ／ＳＣＧを設定したまま接続することを許可するか否かを示す情報が格納されていることとしてもよい。そして、当該情報が、再接続時にＳＣｅｌｌ／ＳＣＧを設定したまま接続することを許可することを示す場合に、ＵＥは、当該セルをベストセルとして決定することができる。
【００６６】
ＵＥがサーチするキャリアの受信電力／受信品質については、維持しているＳＣｅｌｌ（基地局内ＣＡでのＳＣｅｌｌ、ＤＣでのＳＣＧ−ＳＣｅｌｌ）の品質が基準にされてもよい。
【００６７】
例えば、ＰＳＣｅｌｌ、もしくは指定されたＳＣｅｌｌの受信電力／受信品質（ＲＳＲＰ、ＲＳＲＱ、ＳＩＮＲ、ＲＳＳＩ等）に対して所定の値Ｘを見込んだ受信電力／受信品質よりも良いセル（Ｘは正の値でもよいし、負の値でもよい）をベストセルの候補として選定する。すなわち、例としてＰＳＣｅｌｌを基準とした場合に、ＰＳＣｅｌｌの受信電力／受信品質がＳであるとして、Ｑ≧Ｓ＋Ｘを満たす受信電力／受信品質Ｑのセル（サービングセルでないセル）をベストセルの候補とする。
【００６８】
なお、既に説明したように、本手順中においてＳＣｅｌｌ（基地局内ＣＡでのＳＣｅｌｌ、ＤＣでのＳＣＧ−ＳＣｅｌｌ）側の通信は通常通り行われる。
【００６９】
図９のステップＳ１０３において、ベストセルが見つかったものとする（ステップＳ１０３のＹｅｓ）。このベストセルの基地局は、切断されたＣ−ｐｌａｎｅのリンクを提供していたものと同じｅＮＢ／ＭｅＮＢである場合もあるし、別のｅＮＢ／ＭｅＮＢである場合もある。
【００７０】
ＵＥは、ベストセルが見付かった場合、当該セル（ＰＣｅｌｌとなるセル）でＣＢＲＡ（ｃｏｎｔｅｎｔｉｏｎ  ｂａｓｅｄ  ｒａｎｄｏｍ  ａｃｃｅｓｓ）手順を起動する（ステップＳ１０５）。これは、ＵＥがＵＬタイミングとＵＬリソースを取得して、ＲＲＣ  ｃｏｎｎｅｃｔｉｏｎ  ｒｅ−ｅｓｔａｂｌｉｓｈｍｅｎｔ  ｒｅｑｕｅｓｔ等の制御メッセージをｅＮＢ／ＭｅＮＢに送信できるようにするために実行するものである。
【００７１】
ここで、ＤＣの場合において、ＭｅＮＢ向けのＵＬ送信とＳｅＮＢ向けＵＬ送信に対して、ｐ−ＭｅＮＢ、ｐ−ＳｅＮＢというパラメータ（ＲＲＣで設定されるパラメータ）で最低保証電力を設定しているが、当該ＣＢＲＡではＭｅＮＢ向けＵＬ送信に十分な電力が与えられるように制御されてもよい。具体的には、例えば、ＵＥは、ｐ−ＭｅＮＢ＝無限大、又は、ｐ−ＭｅＮＢ＝２３ｄＢＭ、又は、ｐ−ＭｅＮＢ＝ｐ−ＳｅＮＢ＋１とみなして、当該ＭｅＮＢへのＲＡＣＨプリアンブル送信等のＵＬ送信を実行する。
【００７２】
通常ＣＢＲＡでは、ＵＥからｅＮＢ／ＭｅＮＢにＲＡＣＨプリアンブル（メッセージ１）を送信し、ｅＮＢ／ＭｅＮＢからＵＥにＲＡＣＨレスポンス（メッセージ２）を送る。メッセージ２には、ＴＡ情報、ＵＬグラント等が含まれ、これにより、続いてＵＥは、メッセージ３（Ｍｓｇ３）として、ｓｃｈｅｄｕｌｅｄ  ＵＬ送信を実施する。
【００７３】
本例では、ＵＥは、Ｍｓｇ３としてＲＲＣ  ｃｏｎｎｅｃｔｉｏｎ  ｒｅ−ｅｓｔａｂｌｉｓｈｍｅｎｔ  ｒｅｑｕｅｓｔを送信する（ステップＳ１０６）。ＲＲＣ  ｃｏｎｎｅｃｔｉｏｎ  ｒｅ−ｅｓｔａｂｌｉｓｈｍｅｎｔ  ｒｅｑｕｅｓｔは、当該セルでのＳＲＢ（例：ＳＲＢ１）の設定（ｒｅｓｕｍｅ）を要求するメッセージであり、当該セルでのＵＥの識別子（例：Ｃ−ＲＮＴＩ）を含む。
【００７４】
なお、ここではＲＲＣ  ｃｏｎｎｅｃｔｉｏｎ  ｒｅ−ｅｓｔａｂｌｉｓｈｍｅｎｔ  ｒｅｑｕｅｓｔを用いる例を示しているが、ステップＳ１０６で送信するメッセージはこれに限られるわけではなく、ＵＥを識別できる情報が含まれていればどのようなメッセージでもよい。
【００７５】
また、ＲＲＣ  ｃｏｎｎｅｃｔｉｏｎ  ｒｅ−ｅｓｔａｂｌｉｓｈｍｅｎｔ  ｒｅｑｕｅｓｔを含めて、当該メッセージにはＳＣｅｌｌのｃｏｎｆｉｇｕｒａｔｉｏｎ／ＳＣＧのｃｏｎｆｉｇｕｒａｔｉｏｎが維持されていることを示すＩＥが含まれていてもよい。このＩＥにより、ｅＮＢ／ＭｅＮＢ側では、通常の再接続と異なり、ＳＣｅｌｌ／ＳＣＧのｃｏｎｆｉｇｕｒａｔｉｏｎが維持された再接続であることを認識できる。
【００７６】
また、ＤＣの場合において、当該メッセージには、ＳｅＮＢ側で使用しているＣ−ＲＮＴＩ、Ｓｅｃｕｒｉｔｙ  ｋｅｙ、ＢｅａｒｅｒのＩＤ、セルＩＤ等が含まれていても良い。このような情報を含めることで、新たなＭｅＮＢにおいてＤＣを迅速に開始することができ、また、どのＳｅＮＢ配下で接続を維持しているかを把握することができる。
【００７７】
また、ステップＳ１０６におけるＲＲＣ  ｃｏｎｎｅｃｔｉｏｎ  ｒｅ−ｅｓｔａｂｌｉｓｈｍｅｎｔ  ｒｅｑｕｅｓｔの送信には、論理チャネルとしてＣＣＣＨが用いられるが、従来ＣＣＣＨに対して用いられるＬＣＩＤ（例：０００００）とは異なるＬＣＩＤが用いられてもよい。
【００７８】
ステップＳ１０６により、ｅＮＢ／ＭｅＮＢがＲＲＣ  ｃｏｎｎｅｃｔｉｏｎ  ｒｅ−ｅｓｔａｂｌｉｓｈｍｅｎｔ  ｒｅｑｕｅｓｔを受信すると、ステップＳ１０７において、ｅＮＢ／ＭｅＮＢはＵＥに対してＲＲＣ  ｃｏｎｎｅｃｔｉｏｎ  ｒｅ−ｅｓｔａｂｌｉｓｈｍｅｎｔを送信する。
【００７９】
ＲＲＣ  ｃｏｎｎｅｃｔｉｏｎ  ｒｅ−ｅｓｔａｂｌｉｓｈｍｅｎｔを受信したＵＥは、当該セルをＰＣｅｌｌ／ＭＣＧとし、ＳＲＢ（例：ＳＲＢ１）を設定し、当該メッセージに含まれるｒａｄｉｏＲｅｓｏｕｒｃｅＣｏｎｆｉｇＤｅｄｉｃａｔｅｄ等により無線リソースの設定を行う。これにより、ＵＥとｅＮＢ／ＭｅＮＢ間でＣ−ｐｌａｎｅのリンクが確立（再確立）される（ステップＳ１０８）。ＵＥはＲＲＣ  ｃｏｎｎｅｃｔｉｏｎ  ｒｅ−ｅｓｔａｂｌｉｓｈｍｅｎｔの完了メッセ―ジをｅＮＢ／ＭｅＮＢに返す。
【００８０】
ここで、ｅＮＢ／ＭｅＮＢがＲＲＣ  ｃｏｎｎｅｃｔｉｏｎ  ｒｅ−ｅｓｔａｂｌｉｓｈｍｅｎｔ  ｒｅｑｕｅｓｔの内容を理解できない場合には、ｅＮＢ／ＭｅＮＢはＲＲＣ  ｃｏｎｎｅｃｔｉｏｎ  ｒｅ−ｅｓｔａｂｌｉｓｈｍｅｎｔ  ｒｅｊｅｃｔを送信し、ＮＡＳ  ｒｅｃｏｖｅｒｙ（ＲＲＣとしては一旦ＩＤＬＥになり、再度ＲＲＣ  ｃｏｎｎｅｃｔｉｏｎ  ｒｅｑｕｅｓｔ送信を行う）となる。
【００８１】
ｅＮＢ／ＭｅＮＢは、上記完了メッセージを受信した後、必要に応じてＲＲＣ  ｃｏｎｎｅｃｔｉｏｎ  ｒｅｃｏｎｆｉｇｕｒａｔｉｏｎによって、ＳＲＢ２／ＤＲＢを再設定してもよい。また、ステップＳ１０７でのＲＲＣ  ｃｏｎｎｅｃｔｉｏｎ  ｒｅ−ｅｓｔａｂｌｉｓｈｍｅｎｔによってＳＲＢ２／ＤＲＢが設定されてもよい。更に、Ｓｅｃｕｒｉｔｙ  Ｍｏｄｅ  ｃｏｍｍａｎｄによってセキュリティの更新が行われてもよい。
【００８２】
上記の処理においてＲＲＣ  ｃｏｎｎｅｃｔｉｏｎ  ｒｅ−ｅｓｔａｂｌｉｓｈｍｅｎｔ  ｒｅｑｕｅｓｔ、もしくは、ＲＲＣ  ｃｏｎｎｅｃｔｉｏｎ  ｒｅｃｏｎｆｉｇｕｒａｔｉｏｎ内にＳＣｅｌｌ／ＳＣＧを維持することを示す特定の情報を含めることとしてもよい。ここでの「ＳＣｅｌｌ／ＳＣＧを維持する」とは、例えば「ＳＣｅｌｌ／ＳＣＧのｃｏｎｆｉｇｕｒａｔｉｏｎを維持する」ことである。
【００８３】
ＵＥは、当該特定の情報をメッセージから検出した場合に、上記の動作（Ｕ−ｐｌａｎｅを継続したままでのＣ−ｐｌａｎｅ再確立動作）を行い、特定の情報を検出しない場合には、その時点でＵ−ｐｌａｎｅ（ＳＣｅｌｌ／ＳＣＧ）での送受信を停止してもよい。Ｕ−ｐｌａｎｅでの送受信を停止する際には、例えば、ＳＣｅｌｌ（ＳＣＧのＳＣｅｌｌを含む）をＤｅａｃｔｉｖａｔｉｏｎしてもよいし、ＳＣｅｌｌ／ＳＣＧのｃｏｎｆｉｇｕｒａｔｉｏｎ自体を削除しても良い。
【００８４】
（動作例３：Ｃ−ｐｌａｎｅのリンクを確立できなかった場合の動作）
次に、動作例２で説明した動作を行ってもＣ−ｐｌａｎｅのリンクを確立できなかった場合の動作について説明する。
【００８５】
「Ｃ−ｐｌａｎｅを確立できなかった場合」とは、例えば、所定期間の間にベストセルを発見できなかった場合（図９のステップＳ１０４のＹｅｓとなる場合）、ベストセルを発見したが、ＲＡ手順が完了しなかった場合、もしくは、ｅＮＢ／ＭｅＮＢからＲＲＣ  ｃｏｎｎｅｃｔｉｏｎ  ｒｅ−ｅｓｔａｂｌｉｓｈｍｅｎｔを受信できなかった場合、ＲＲＣ  ｃｏｎｎｅｃｔｉｏｎ  ｒｅ−ｅｓｔａｂｌｉｓｈｍｅｎｔ  ｒｅｊｅｃｔを受信する場合等である。以下、具体的な制御として動作例３−１、動作例３−２を説明する。
【００８６】
＜動作例３−１：Ｕ−ｐｌａｎｅを切断する＞
Ｃ−ｐｌａｎｅを確立できない場合において、動作例３−１では、Ｕ−ｐｌａｎｅのリンクを切断してＣ−ｐｌａｎｅの確立を試みる。本例において、Ｕ−ｐｌａｎｅのリンクを切断するとは、ＵＥがＳｅＮＢ（ＳＣＧ）／ｅＮＢ・ＲＲＨ（ＳＣｅｌｌ）との間でのデータ通信を停止することである。具体的には、ＤＬの信号の受信を停止する（或いは、中止する）（例：ＰＤＣＣＨの監視を行わない）、或いは、ＤＬ信号の受信について所定の受信品質を満たさない、或いは、ＵＬの信号の送信を停止する（中止する）、或いは、ＳｅＮＢ（ＳＣＧ）／ｅＮＢ・ＲＲＨ（ＳＣｅｌｌ）のＵＬ送信に対して十分な送信電力を割り当てない、或いは、ＵＬ信号の送信について所定の送信品質を満たさない、或いは、ＳｅＮＢ（ＳＣＧ）／ｅＮＢ・ＲＲＨ（ＳＣｅｌｌ）に設定されているベアラの送信をＳｕｓｐｅｎｄする（或いは、当該ベアラ／論理チャネルに対してデータが無いものと見なす）こと等である。
【００８７】
動作例３−１を図１０を参照して説明する。ステップＳ２０１において、ユーザ装置ＵＥがＣ−ｐｌａｎｅのリンクのＲＬＦを検知すると、ＳｅＮＢ／ｅＮＢ・ＲＲＨとの接続を維持したまま（ステップＳ２０２）、Ｃ−Ｐｌａｎｅ再確立のための手順を開始するが、再確立に失敗する（ステップＳ２０３）。
【００８８】
すると、ステップＳ２０４において、Ｕ−ｐｌａｎｅのリンク（ＳｅＮＢ等との接続）を切断する。
【００８９】
ステップＳ２０４の動作に関しては、Ｃ−ｐｌａｎｅを確立できなかったことを検知してすぐに実行してもよいし、Ｃ−ｐｌａｎｅを確立できなかったことを検知した時点から所定期間経過した時点で行うこととしてもよい。所定期間経過の制御については、例えば、ＵＥにおけるタイマを用いて実施できる。
【００９０】
また、ステップＳ２０４の動作に関して、ＵＥから送信すべきＵ−ｐｌａｎｅ（ＳＣｅｌｌ／ＳＣＧ／ＤＲＢ／ＤＴＣＨ）データが無くなるまで待ち、無くなった時点で実行してもよいし、無くなってから所定期間経過した時点で実行してもよい。もしくは、ＤＬデータ（或いは、ＰＤＣＣＨ等の割当て情報）を所定期間受けないことを検知した時点で実行してもよい。
【００９１】
ステップＳ２０４の後、ＵＥは、Ｃ−ｐｌａｎｅのリンクの再確立のための手順を実行する。この手順としては例えば、従来の再接続（ｃｏｎｎｅｃｔｉｏｎ  ｒｅ−ｅｓｔａｂｌｉｓｈｍｅｎｔ）の手順を用いることができる。つまり、セルサーチを行って、ベストセルを発見して再接続要求の送信を行う。動作例３−１では、ＳｅＮＢ／ｅＮＢ・ＲＲＨとの間のＵ−ｐｌａｎｅのリンクを切断したため、例えば、Ｕ−ｐｌａｎｅのリンクを張っていたＳｅＮＢ／ｅＮＢ・ＲＲＨとの接続でＣ−ｐｌａｎｅのリンクを確立できる可能性がある等、動作例２のＣ−ｐｌａｎｅ再確立手順の場合よりもＣ−ｐｌａｎｅ確立の可能性が高くなる。
【００９２】
ステップＳ２０５において、Ｕ−ｐｌａｎｅを担うＳＣｅｌｌ／ＳＣＧとして設定していたセル（ＳｅＮＢ／ｅＮＢ・ＲＲＨ）に対して再接続手順（ｃｏｎｎｅｃｔｉｏｎ  ｒｅ−ｅｓｔａｂｌｉｓｈｍｅｎｔ）を行っても良い。
【００９３】
なお、ステップＳ２０４におけるＵ−ｐｌａｎｅのリンクの切断の時点で、ＵＥは、ＳＣｅｌｌ／ＰＳＣｅｌｌ／ＳＣＧ／ＤＲＢに関連するｃｏｎｆｉｇｕｒａｔｉｏｎを開放してもよいし、維持したままでもよい。ｃｏｎｆｉｇｕｒａｔｉｏｎが開放されている場合、上記の再接続手順において新たにｃｏｎｆｉｇｕｒａｔｉｏｎの設定がなされる。また、維持されている場合には、再接続手順によってｅＮＢから新しいｃｏｎｆｉｇｕｒａｔｉｏｎを受けた時点で当該ｃｏｎｆｉｇｕｒａｔｉｏｎの再設定を行う。
【００９４】
ここでの動作例に関する他の動作例として、ＮＷ側でＣ−ｐｌａｎｅが切断された場合の動作例を説明する。具体的には、ＭｅＮＢがＵＥの品質劣化を検出（例：ＵＥのＵＬの受信品質が所定の閾値を下回った）する場合に、一例として、以下の処理が実行される。
【００９５】
ステップＡ）ＭｅＮＢはＳｅＮＢ側に対して、ＵＥの接続が切断されたことを通知する。当該通知には、ＵＥを識別する情報が入っていてもよい。ここでの通知を「通知Ａ」とする。
【００９６】
ステップＢ）ＳｅＮＢは通知Ａを受けると、ＵＥに対して切断処理を実行する。切断処理については種々の方法があり、特定の方法に限られないが、例えば、新規の信号（例：ＭＡＣ  ＣＥ）を定義して、ＵＥに切断させる方法がある。
【００９７】
ステップＢ´）ステップＢにおいて、仮にＳｅＮＢ−ＵＥ間で通信中である場合（データがある場合）には、当該通信が終了してから切断処理を行ってもよい。
【００９８】
ステップＢ´´）また、通知Ａを受信してから直ぐに切断処理を実行するのではなく、通知Ａ受信後、所定期間経過後に切断処理を行ってもよい。当該所定期間の値は、ＳｅＮＢが保持していてもよいし、通知ＡによりＭｅＮＢから通知されてもよい。
【００９９】
ステップＣ）切断処理を実施した後はＳｅＮＢはＭｅＮＢに対して切断完了を通知する。
【０１００】
このような切断処理の後に、前述したように、Ｃ−Ｐｌａｎｅの再確立の手順が実行される。
【０１０１】
＜動作例３−２：Ｕ−ｐｌａｎｅを切断せずに、ＳｅＮＢ／ｅＮＢ・ＲＲＨ側でＣ−ｐｌａｎｅ再確立＞
本実施の形態では、ＰＣｅｌｌ／ＭＣＧ側のＣ−ｐｌａｎｅのリンクが切断されることを想定しているので、Ｕ−ｐｌａｎｅを担うＳＣｅｌｌ／ＰＳＣｅｌｌ／ＳＣＧにおいてはリンクが確立されている。ここで「リンクが確立されている」とは、ＳＣｅｌｌ／ＰＳＣｅｌｌ／ＳＣＧのセル（特定のセル、或いは、いずれかのセル、或いは全てのセル）において所定の品質が満たされており（ＲＬＦは生じておらず）、各セルで正常に信号の送受信が可能であること、或いは、ＳＣｅｌｌ／ＰＳＣｅｌｌ／ＳＣＧのＵＬ送信において異常を検出しておらず（例えば、ランダムアクセス異常を検出していない（ランダムアクセス手順の試行回数が所定の閾値を上回っていない）、ＵＬ  ＲＬＣ最大再送超過を検出していない、或いは、ＰＤＣＰの秘匿（秘匿解除）処理やヘッダ圧縮処理で異常を検出していない（例：ＲＯＨＣヘッダのＣＲＣ  ＮＧを検出していない））、レイヤ２が正常に動作して送受信が可能であること等を意味する。
【０１０２】
そこで、動作例３では、ＳＣｅｌｌ／ＰＳＣｅｌｌ／ＳＣＧの側（ＳｅＮＢ／ｅＮＢ・ＲＲＨの側）にＣ−ｐｌａｎｅのリンクを確立させる。
【０１０３】
図１１を参照して動作例３−２を説明する。テップＳ３０１において、ユーザ装置ＵＥがＣ−ｐｌａｎｅのリンクのＲＬＦを検知すると、ＳｅＮＢ／ｅＮＢ・ＲＲＨとの接続を維持したまま（ステップＳ３０２）、ＳｅＮＢ／ｅＮＢ・ＲＲＨとの間でのＣ−ｐｌａｎｅのリンク再確立のための処理を開始する。
【０１０４】
ここではまず、ＳｅＮＢ／ｅＮＢ・ＲＲＨにおけるセルで、ＣＢＲＡ手順を実行する。ＣＢＲＡ手順を実行するセルは、ｅＮＢ・ＲＲＨの場合であればＵＬ  ＣＣが設定されているセルであり、ＳｅＮＢの場合であればＰＳＣｅｌｌになっているセル、もしくはＰＳＣｅｌｌ以外のＵＬ  ＣＣが設定されているセルである。
【０１０５】
ＣＢＲＡ手順におけるＭｓｇ３として、ＵＥはＳｅＮＢ／ｅＮＢ・ＲＲＨに対して再接続要求のメッセージを送信する（ステップＳ３０３）。このメッセージは、Ｃ−ｐｌａｎｅ確立が失敗したことを通知するメッセージであり、ＵＥの識別情報が含まれる。当該メッセージの送信は、例えば、ＣＣＣＨを用いて行われる。このようにＣＣＣＨを用いる場合、当該メッセージとしてＲＲＣ  ｃｏｎｎｅｃｔｉｏｎ  ｒｅ−ｅｓｔａｂｌｉｓｈｍｅｎｔ  Ｒｅｑｕｅｓｔ等、従来のメッセージを流用してもよい。ただし、このような従来のメッセージを流用する場合、接続する先のＳｅＮＢ／ｅＮＢ・ＲＲＨが当該ＵＥを識別できるように、メッセージ内に含める情報（ＰＣＩ、Ｃ−ＲＮＴＩ、ｓｈｏｒｔ−ＭＡＣ−Ｉ）は適宜調整されてもよい。例えば、ＤＣでＳｅＮＢに向けて当該制御を行う場合には、ＰＳＣｅｌｌ（もしくは、ＣＢＲＡを行うセル）のＰＣＩ、及びＣ−ＲＮＴＩが当該メッセージに含まれる。
【０１０６】
次に、上記メッセージを受信したＳｅＮＢ／ｅＮＢ・ＲＲＨは、ステップＳ３０４において、ＵＥに対して、Ｃ−ｐｌａｎｅのリンクを確立する指示情報・設定情報を含むメッセージを送信する。当該メッセージには、例えば、ＳＲＢ１を設定する指示が含まれる。また、当該メッセージには、ＵＥに対してどのセルをＰＣｅｌｌとして使うかを指定する情報が含まれてもよい。もしくは、このようなＰＣｅｌｌの指定情報を含めずに、ＳＣｅｌｌの内の１つ（例：ＰＳＣｅｌｌ  ｏｒ  品質のよいセル、ＳＣｅｌｌＩｎｄｅｘ／ＳｅｒｖＣｅｌｌＩｎｄｅｘの１つ、ＣＢＲＡを実施したセル等、ＵＥ−ｅＮＢ間で認識が一致するのであればどのセルでもよい）をＵＥが暗示的にＰＣｅｌｌとして設定してもよい。
【０１０７】
なお、当該メッセージとして、ＲＲＣ  ｃｏｎｎｅｃｔｉｏｎ  ｒｅ−ｅｓｔａｂｌｉｓｈｍｅｎｔ等、従来のメッセージを流用してもよい。ＰＣｅｌｌの設定を行ったＵＥは、ＳｅＮＢ／ｅＮＢ・ＲＲＨに対して設定完了通知を行う。これにより、Ｃ−ｐｌａｎｅのリンクが確立する（ステップＳ３０５）。
【０１０８】
なお、上記の手順中にも、他のＬＣＨ／ベアラ、及びサービングセルの通信は継続される。
【０１０９】
また、従来技術では、再接続手順（例：ｃｏｎｎｅｃｔｉｏｎ  ｒｅ−ｅｓｔａｂｌｉｓｈｍｅｎｔ）が失敗すると、上位レイヤ（ＮＡＳレイヤ）へ通知を行っていたが、本実施の形態では通知が行われなくても良い。ただし、ＳｅＮＢ／ｅＮＢ・ＲＲＨ側でもたまたま再確立ができなかった場合には上位レイヤ（ＮＡＳレイヤ）へ通知を行うこととしてもよい。
【０１１０】
（装置構成）
次に、これまでに説明した動作を実行可能なＵＥとｅＮＢにおける主要な構成を説明する。
【０１１１】
まず、図１２に、本実施の形態に係るユーザ装置ＵＥの構成図を示す。図１２に示すように、ユーザ装置ＵＥは、ＤＬ信号受信部１０１、ＵＬ信号送信部１０２、無線リンク監視部１０３、接続制御部１０４、ＲＲＣ管理部１０５を含む。図１２は、ユーザ装置ＵＥにおいて本発明の実施の形態に特に関連する機能部のみを示すものであり、少なくともＬＴＥに準拠した動作を行うための図示しない機能も有するものである。また、図１２に示す機能構成は一例に過ぎない。本実施の形態に係る動作を実行できるのであれば、機能区分や機能部の名称はどのようなものでもよい。
【０１１２】
ＤＬ信号受信部１０１は、ｅＮＢから各種の信号を無線受信し、受信した物理レイヤの信号からより上位のレイヤの信号を取得する機能を含む。ＵＬ信号送信部１０２は、ＵＥから送信されるべき上位のレイヤの信号から、物理レイヤの各種信号を生成し、無線送信する機能を含む。ＤＬ信号受信部１０１及びＵＬ信号送信部１０２はそれぞれ、設定に応じて、基地局内ＣＡ及びＤＣを実行する機能を含む。
【０１１３】
ＤＬ信号受信部１０１及びＵＬ信号送信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【０１１４】
また、ＤＬ信号受信部１０１及びＵＬ信号送信部１０２は、Ｃ−ｐｌａｎｅのリンク切断が検知された場合における最初の動作である動作例１を実行する機能を有する。
【０１１５】
無線リンク監視部１０３は、無線リンク（例：Ｃ−ｐｌａｎｅのリンク）の監視を行い、ＲＬＦ（例：Ｃ−ｐｌａｎｅのリンク切断）が生じたかどうかの監視を行う。
【０１１６】
接続制御部１０４は、Ｃ−ｐｌａｎｅのＲＬＦが検知された場合に、Ｃ−ｐｌａｎｅの再確立に関する動作例２、動作例３におけるＵＥの動作を実行する。この実行には、当該動作をＲＲＣ管理部１０５、ＤＬ信号受信部１０１、ＵＬ信号送信部１０２等に指示することが含まれる。
【０１１７】
ＲＲＣ管理部１０５は、ＤＬ信号受信部１０１／ＵＬ信号送信部１０２を介して、ｅＮＢとの間でメッセージの送受信を行うとともに、ＣＡ／ＤＣ情報の設定／変更／管理、構成変更等の処理を行う機能を含む。
【０１１８】
図１３に、本実施の形態に係るｅＮＢの機能構成図を示す。当該ｅＮＢは、単独のｅＮＢの他、ＤＣを構成するＭｅＮＢ、ＳｅＮＢになり得る基地局である。
【０１１９】
図１３に示すように、ｅＮＢは、ＵＬ信号受信部２０１、ＤＬ信号送信部２０２、接続制御部２０３、ＲＲＣ管理部２０４を含む。図１３は、ｅＮＢにおいて本実施の形態に関連する主要な機能部のみを示すものであり、少なくともＬＴＥに準拠した動作を行うための図示しない機能も有するものである。また、図１３に示す機能構成は一例に過ぎない。本実施の形態に係る動作を実行できるのであれば、機能区分や機能部の名称はどのようなものでもよい。
【０１２０】
ＵＬ信号受信部２０１は、ＵＥから各種の信号を無線受信し、受信した物理レイヤの信号からより上位のレイヤの信号を取得する機能を含む。ＤＬ信号送信部２０２は、ｅＮＢから送信されるべき上位のレイヤの信号から、物理レイヤの各種信号を生成し、無線送信する機能を含む。ＵＬ信号受信部２０１及びＤＬ信号送信部２０２はそれぞれ、複数のＣＣを束ねて通信を行うＣＡを実行する機能を含む。また、ＵＬ信号受信部２０１及びＤＬ信号送信部２０２は、ＲＲＨのように、ｅＮＢの本体（制御部）から遠隔に設置された無線通信部を含んでもよい。
【０１２１】
ＵＬ信号受信部２０１及びＤＬ信号送信部２０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【０１２２】
接続制御部２０３は、ＵＥにおいてＣ−ｐｌａｎｅのＲＬＦが検知された場合における、Ｃ−ｐｌａｎｅの再確立に関する動作例２、動作例３のｅＮＢ側の動作を実行する。この実行には、当該動作をＲＲＣ管理部２０４、ＵＬ信号受信部２０１、ＤＬ信号送信部２０２等に指示することを含む。
【０１２３】
ＲＲＣ管理部２０４は、ＵＬ信号受信部２０１／ＤＬ信号送信部２０２を介してＵＥとの間でメッセージの送受信を行うとともに、ＣＡ／ＤＣの設定／変更／管理、構成変更等の処理を行う機能を含む。
【０１２４】
＜ハードウェア構成＞
上記実施の形態の説明に用いたブロック図（図１２及び図１３）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１２５】
例えば、本発明の一実施の形態における基地局ｅＮＢ、ユーザ装置ＵＥなどは、本発明の無線通信方法の処理を行うコンピュータとして機能してもよい。図１４は、本発明の一実施の形態に係る基地局ｅＮＢ及びユーザ装置ＵＥのハードウェア構成の一例を示す図である。上述の基地局ｅＮＢ及びユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【０１２６】
なお、以下の説明では、「装置」という文言は、回路、デバイス、ユニットなどに読み替えることができる。基地局ｅＮＢ及びユーザ装置ＵＥのハードウェア構成は、図に示した各装置を１つ又は複数含むように構成されてもよいし、一部の装置を含まずに構成されてもよい。
【０１２７】
基地局ｅＮＢ及びユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１２８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、基地局ｅＮＢのＵＬ信号受信部２０１、ＤＬ信号送信部２０２、接続制御部２０３、ＲＲＣ管理部２０４、ユーザ装置ＵＥのＤＬ信号受信部１０１、ＵＬ信号送信部１０２、無線リンク監視部１０３、接続制御部１０４、ＲＲＣ管理部１０５は、プロセッサ１００１で実現されてもよい。
【０１２９】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局ｅＮＢのＵＬ信号受信部２０１、ＤＬ信号送信部２０２、接続制御部２０３、ＲＲＣ管理部２０４、ユーザ装置ＵＥのＤＬ信号受信部１０１、ＵＬ信号送信部１０２、無線リンク監視部１０３、接続制御部１０４、ＲＲＣ管理部１０５は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１３０】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る通信方法を実施するために実行可能なプログラム（プログラムコード）、ソフトウェアモジュールなどを保存することができる。
【０１３１】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１３２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局ｅＮＢのＤＬ信号送信部２０２、及び、ＵＬ信号受信部２０１、ユーザ装置ＵＥのＵＬ信号送信部１０２、及び、ＤＬ信号受信部１０１は、通信装置１００４で実現されてもよい。
【０１３３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１３４】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１３５】
また、基地局ｅＮＢ及びユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１３６】
（実施の形態のまとめ）
本実施の形態では、ユーザ装置との間に制御プレーンのリンクを設定する第１の基地局と、当該ユーザ装置との間にユーザプレーンのリンクを設定する第２の基地局とを有する移動通信システムにおける当該ユーザ装置であって、無線リンクの監視を行う無線リンク監視手段と、前記無線リンク監視手段により前記制御プレーンのリンクの切断が検知された場合に、前記ユーザプレーンのリンクを維持したまま、前記ユーザ装置に対する制御プレーンのリンクの再確立を行う接続制御手段とを備えるユーザ装置が提供される。
【０１３７】
上記の構成により、ユーザ装置との間に制御プレーンのリンクを設定する第１の基地局と、当該ユーザ装置との間にユーザプレーンのリンクを設定する第２の基地局とを有する移動通信システムにおいて、低遅延通信を実現することが可能となる。
【０１３８】
前記無線リンク監視手段により前記制御プレーンのリンクの切断が検知された場合に、前記接続制御手段は、セルサーチを行うことによりベストセルを検出し、当該ベストセルで前記制御プレーンのリンクの再確立を行うこととしてもよい。この構成により、適切なセルで制御プレーンのリンクの再確立を行うことができる。
【０１３９】
前記接続制御手段は、前記ベストセルとして、システム情報で特定の情報が報知されるセルを選択することとしてもよい。この構成によっても適切なセルで制御プレーンのリンクの再確立を行うことができる。
【０１４０】
前記接続制御手段は、前記ベストセルでランダムアクセス手順を実行することにより、再接続要求を当該ベストセルの基地局に送信し、当該基地局から再接続指示を受信することで、当該基地局と前記ユーザ装置との間に前記制御プレーンのリンクを確立することとしてもよい。この構成により、例えば、再接続指示の中に設定情報を含めることができる等、柔軟な制御が可能となる。
【０１４１】
前記再接続要求のメッセージには、前記ユーザプレーンのリンクが設定されているセルのコンフィギュレーションが維持されていることを示す情報が含まれることとしてもよい。この構成により、当該メッセージを受信するｅＮＢ側において、このメッセージが特別なメッセージであることを認識できる。
【０１４２】
前記接続制御手段は、前記再接続指示の中に特定の情報が含まれていないことを検知した場合に、前記ユーザプレーンのリンクでのデータ送受信を停止することとしてもよい。この構成により、例えば、ユーザプレーンのリンクでのデータ送受信を継続することが適切か否かを認識し、適切でない場合に、当該データ送受信を停止することができる。
【０１４３】
前記接続制御手段は、前記制御プレーンのリンクの再確立に失敗した場合において、前記ユーザプレーンのリンクを切断して、前記制御プレーンのリンクの再確立のための手順を実行することとしてもよい。この構成により、制御プレーンのリンクの再確立を確実に行うことができる。
【０１４４】
前記接続制御手段は、前記制御プレーンのリンクの再確立に失敗した場合において、前記第２の基地局に対して前記制御プレーンのリンクの再確立のための手順を実行することとしてもよい。この構成により、例えば、ユーザプレーンのリンクを継続したまま、制御プレーンのリンクの再確立を行うことができる。
【０１４５】
なお、上記の各装置の構成における「手段」を、「部」、「回路」、「デバイス」等に置き換えてもよい。
【０１４６】
本実施の形態で説明したユーザ装置ＵＥは、ＣＰＵとメモリを備え、プログラムがＣＰＵ（プロセッサ）により実行されることで実現される構成であってもよいし、実施の形態で説明する処理のロジックを備えたハードウェア回路等のハードウェアで実現される構成であってもよいし、プログラムとハードウェアが混在していてもよい。
【０１４７】
本実施の形態で説明した基地局ｅＮＢは、ＣＰＵとメモリを備え、プログラムがＣＰＵ（プロセッサ）により実行されることで実現される構成であってもよいし、実施の形態で説明する処理のロジックを備えたハードウェア回路等のハードウェアで実現される構成であってもよいし、プログラムとハードウェアが混在していてもよい。
【０１４８】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１４９】
本特許出願は２０１５年８月１２日に出願した日本国特許出願第２０１５−１５９６９４号に基づきその優先権を主張するものであり、日本国特許出願第２０１５−１５９６９４号の全内容を本願に援用する。
【符号の説明】
【０１５０】
ＵＥ  ユーザ装置
ｅＮＢ  基地局
１０１  ＤＬ信号受信部
１０２  ＵＬ信号送信部
１０３  無線リンク監視部
１０４  接続制御部
１０５  ＲＲＣ管理部
２０１  ＵＬ信号受信部
２０２  ＤＬ信号送信部
２０３  接続制御部
２０４  ＲＲＣ管理部
１００１  プロセッサ
１００２  メモリ
１００３  ストレージ
１００４  通信装置
１００５  入力装置
１００６  出力装置
【図１】
2017026263.tif 000003
【図２】
2017026263.tif 000004
【図３】
2017026263.tif 000005
【図４】
2017026263.tif 000006
【図５】
2017026263.tif 000007
【図６】
2017026263.tif 000008
【図７】
2017026263.tif 000009
【図８】
2017026263.tif 000010
【図９】
2017026263.tif 000011
【図１０】
2017026263.tif 000012
【図１１】
2017026263.tif 000013
【図１２】
2017026263.tif 000014
【図１３】
2017026263.tif 000015
【図１４】
2017026263.tif 000016
【国際調査報告】
2017026263.tif 000017
2017026263.tif 000018
2017026263.tif 000019
2017026263.tif 000020